【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
無線機能付き時計であって、
ハウジングと、
前記ハウジング内に収容され、外部からの電波を受信するためのアンテナと、
前記ハウジング内に配置された文字板と、
前記文字板に配置された導電性の環状部材と、
前記環状部材に形成され、環状部材を周方向に分断する少なくとも１つのスリットと、
を備えることを特徴とする無線機能付き時計。
【請求項２】
前記スリットが、アンテナの上方近傍に配置されていることを特徴とする請求項１に記載の無線機能付き時計。
【請求項３】
前記スリットが、アンテナの少なくとも一方の開放端部に対向して、アンテナの上方近傍に配置されたスリットから構成されていることを特徴とする請求項１に記載の無線機能付き時計。
【請求項４】
前記文字板上に、スリット内に配置された時計の機能表示を示す指標部を備えることを特徴とする請求項１から３のいずれかに記載の無線機能付き時計。
【請求項５】
前記スリット内に配置された時計の機能表示を示す指標部が、文字板に形成された指標窓部であることを特徴とする請求項４に記載の無線機能付き時計。
【請求項６】
前記環状部材のスリット内に配置された絶縁部材を備えることを特徴とする請求項１から３のいずれかに記載の無線機能付き時計。
【請求項７】
前記絶縁部材が、時計の機能表示を示す指標であることを特徴とする請求項６に記載の無線機能付き時計。
【請求項８】
前記文字板に、径の異なる環状部材が複数配置されていることを特徴とする請求項１から７のいずれかに記載の無線機能付き時計。
【請求項９】
前記環状部材と文字板のいずれか一方に突設された係合凸部と、他方に形成された係合孔部とを備え、
前記係合凸部と係合孔部との係合によって、環状部材が文字板上に取り付けられていることを特徴とする請求項１から８のいずれかに記載の無線機能付き時計。
【請求項１０】
前記環状部材が、文字板上に配置されているか、または、文字板内に埋設状態で配置されていることを特徴とする請求項１から９のいずれかに記載の無線機能付き時計。
【手続補正２】
【補正対象書類名】明細書
【補正対象項目名】０００４
【補正方法】変更
【補正の内容】
【０００４】
しかしながら、これら無線機能付き時計は、時計であるがために、他の通信機器と異なり、装飾品、または装身具としての美観や高級感が求められる。
このため、電波を受信するアンテナを収納する筐体であるハウジングを、合成樹脂などの非導電性の素材ではなく、導電性の素材、すなわち、金属製の素材を採用することが求められる。
【手続補正３】
【補正対象書類名】明細書
【補正対象項目名】００３０
【補正方法】変更
【補正の内容】
【００３０】
逆に、非導電性の部材とは、「その部材の素材自体が非導電性の部材であるもの」、または、「その部材に非導電性の被膜が被覆されたもの」を言う。後者の場合、部材の素材自体は、非導電性の素材であっても、導電性の素材であっても、または、非導電性の素材と導電性の素材の組み合わせであってもよい。
【手続補正４】
【補正対象書類名】明細書
【補正対象項目名】００３１
【補正方法】変更
【補正の内容】
【００３１】
環状部材を構成する導電性の材料としては、例えば、金、銀、銅、黄銅、アルミニウム、マグネシウム、亜鉛、チタン、またはこれらの合金などを採用することができる。また、例えば、チタン合金、ステンレススチール、タンタルカーバイドなどが採用されてもよい。
【手続補正５】
【補正対象書類名】明細書
【補正対象項目名】００３７
【補正方法】変更
【補正の内容】
【００３７】
このように構成することによって、アンテナの少なくとも一方の開放端部に対向する部分には、スリットによって、電波の受信を妨げる導電性の環状部材が存在しないので、このスリットを介して、電波がアンテナの一方の開放端部に受信され、アンテナの受信感度が向上することになる。
【手続補正６】
【補正対象書類名】明細書
【補正対象項目名】００３８
【補正方法】変更
【補正の内容】
【００３８】
また、本発明の無線機能付き時計は、前記環状部材が、ハウジングに対して平面方向に離間して配置されていることを特徴とする。
このように構成することによって、環状部材がハウジングと接触すると、ハウジングと環状部材との間に誘導電流が流れて受信感度が低下するが、環状部材がハウジングと接触しないので、このような接触による受信感度の低下を防止することができる。
【手続補正７】
【補正対象書類名】明細書
【補正対象項目名】００４８
【補正方法】変更
【補正の内容】
【００４８】
また、このようにスリット内に絶縁部材が配置されているので、環状部材の強度が維持されることにもなる。
絶縁部材は、非導電性の素材から成る部材であっても、導電性の素材に非導電性の被膜が被覆された部材であってもよい。非導電性の素材としては、例えば、合成樹脂、ゴム、またはセラミックなどを採用することができる。導電性の素材としては、上述した環状部材の素材を採用することができる。
【手続補正８】
【補正対象書類名】明細書
【補正対象項目名】００４９
【補正方法】変更
【補正の内容】
【００４９】
導電性材料の上に被覆される非導電性被膜、すなわち絶縁被膜としては、例えば、アクリル系材料、ウレタン系材料、またはセルロース系材料などの有機材料の絶縁被膜を採用することができる。また、この絶縁被膜として、例えば、クロム化合物を含むクロム化合物系被膜、または酸化アルミ化合物を含む酸化アルミ系被膜を採用することができる。
【手続補正９】
【補正対象書類名】明細書
【補正対象項目名】００５０
【補正方法】変更
【補正の内容】
【００５０】
クロム化合物系被膜としては、酸化クロム化合物を含む酸化クロム系被膜、窒化クロム化合物を含む窒化クロム系被膜、または、炭化クロム化合物を含む炭化クロム系被膜を採用することができる。
【手続補正１０】
【補正対象書類名】明細書
【補正対象項目名】００５１
【補正方法】変更
【補正の内容】
【００５１】
また、絶縁被膜としては、ＤＬＣ（Diamond Like Carbon（ダイヤモンドの様なカーボン））などのように、後述する環状部材と時計ケースとの間、時計ケースとベゼルとの間、またはベゼルと環状部材との間に配置される絶縁領域として絶縁被膜が採用されても良い。
【手続補正１１】
【補正対象書類名】明細書
【補正対象項目名】００５２
【補正方法】変更
【補正の内容】
【００５２】
また、絶縁被膜の代わりに、合成樹脂やゴムなどから成る絶縁シートが貼着されてもかまわない。
絶縁部材は、不用意に抜脱しないように環状部材に固定されることが好ましい。この固定手段としては、例えば、嵌合、圧入、接合、インサート成型など、機械的な係合手段を採用することができる。絶縁部材と環状部材とを接合する接合層としては、例えば、接着剤、粘着剤、または両面テープなどが用いられる。これら接合層は、非導電性の絶縁層であることが好ましい。
【手続補正１２】
【補正対象書類名】明細書
【補正対象項目名】００５６
【補正方法】変更
【補正の内容】
【００５６】
例えば、環状部材が明るい金色色調であり、絶縁部材が暗い金色色調であっても、環状部材と絶縁部材の視認面が金色の同色色調を呈すれば、絶縁部材が視認されにくくなり、環状部材の美観、時計自体の美観が向上する。
【手続補正１３】
【補正対象書類名】明細書
【補正対象項目名】００５９
【補正方法】変更
【補正の内容】
【００５９】
このように、特に、絶縁部材が、導電性素材より成る環状部材と同じような金属外観を呈すれば、絶縁部材が視認されにくくなるとともに、環状部材に高級感が与えられる。
導電性素材より成る環状部材と同じような金属外観を得るために、例えば、絶縁部材は、環状部材と同色色調のメタリック塗装による塗装被膜に被覆されてもよい。このメタリック塗装被膜として、例えば、メタリック顔料が混入された塗装被膜を採用することができる。
【手続補正１４】
【補正対象書類名】明細書
【補正対象項目名】００６４
【補正方法】変更
【補正の内容】
【００６４】
このような絶縁塗装被膜としては、例えば、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、または、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などを採用することができる。
【手続補正１５】
【補正対象書類名】明細書
【補正対象項目名】００６５
【補正方法】変更
【補正の内容】
【００６５】
また、本発明の無線機能付き時計は、前記絶縁部材の視認面の色調が、環状部材の視認面の色調と異色色調であることを特徴とする。
このように、絶縁部材の視認面の色調を、環状部材の視認面の色調と異色色調となるように構成することによって、例えば、この絶縁部材の部分を、美観上または何らかの情報として、例えば、時計の携帯者などの観察者に視認し易くすることができる。
【手続補正１６】
【補正対象書類名】明細書
【補正対象項目名】００７０
【補正方法】変更
【補正の内容】
【００７０】
このように構成することによって、絶縁部材に保持された導電性の付加部材により、絶縁部材に金属外観が付与されることになるので、環状部材の美観と高級感が向上し、時計自体の美観も向上することになる。
【手続補正１７】
【補正対象書類名】明細書
【補正対象項目名】００７３
【補正方法】変更
【補正の内容】
【００７３】
また、本発明の無線機能付き時計は、前記付加部材の視認面の色調が、環状部材の視認面の色調と異色色調であることを特徴とする。
このように、付加部材の視認面の色調を、環状部材の視認面の色調と異色色調となるように構成することによって、例えば、この付加部材の部分を、美観上または何らかの情報として、例えば、時計の携帯者などの観察者に視認し易くすることができる。
【手続補正１８】
【補正対象書類名】明細書
【補正対象項目名】００７６
【補正方法】変更
【補正の内容】
【００７６】
このように構成することによって、環状部材と絶縁部材と付加部材とが一体的に視認されるので、環状部材の美観と高級感が向上し、時計自体の美観も向上することになる。
また、環状部材が、文字板上に配置された装飾用リング、または、文字板上に配置された機能表示を示す指標を備える計測リングである場合に、これらのリングの上面から文字板に向けて下方に延びる傾斜面は、時計の機能表示を示す指標を配置する指標面として機能する。
【手続補正１９】
【補正対象書類名】明細書
【補正対象項目名】００７８
【補正方法】変更
【補正の内容】
【００７８】
また、本発明の無線機能付き時計は、前記付加部材が、環状部材と絶縁部材との境界の少なくとも一部を覆う覆い部を備えることを特徴とする。
このように構成することによって、環状部材と絶縁部材との境界が、付加部材の覆い部で隠されて視認されなくなるので、環状部材の美観と高級感がさらに向上する。
【手続補正２０】
【補正対象書類名】明細書
【補正対象項目名】００８１
【補正方法】変更
【補正の内容】
【００８１】
このように構成することによって、付加部材が絶縁部材に形成された凹部内に確実に固定することができる。
また、付加部材と絶縁部材の視認面とが略同一平面を形成するように、絶縁部材の凹部内に付加部材を配置することができ、環状部材と絶縁部材と付加部材とが一体的に視認されるので、環状部材の美観と高級感が向上し、時計自体の美観も向上することになる。
【手続補正２１】
【補正対象書類名】明細書
【補正対象項目名】００８３
【補正方法】変更
【補正の内容】
【００８３】
また、付加部材と絶縁部材の視認面とが略同一平面を形成するように、２つの絶縁部材の間に付加部材を配置することができ、環状部材と絶縁部材と付加部材とが一体的に視認されるので、環状部材の美観と高級感が向上し、時計自体の美観も向上することになる。
【手続補正２２】
【補正対象書類名】明細書
【補正対象項目名】００８８
【補正方法】変更
【補正の内容】
【００８８】
また、本発明の無線機能付き時計は、前記絶縁部材が、装飾部材を備えることを特徴とする。
このように構成することによって、絶縁部材に、例えば、宝石や貴石などの輝石からなる装飾部材を備えることによって、環状部材の美観と高級感が向上し、時計自体の美観も向上することになる。
【手続補正２３】
【補正対象書類名】明細書
【補正対象項目名】００８９
【補正方法】変更
【補正の内容】
【００８９】
また、本発明の無線機能付き時計は、前記文字板に、径の異なる環状部材が複数配置されていることを特徴とする。
このように文字板に、径の異なる環状部材が複数配置されていることによって、装飾性が向上するとともに、異なる機能表示を個々の環状部材に付与することができる。
【手続補正２４】
【補正対象書類名】明細書
【補正対象項目名】０１００
【補正方法】変更
【補正の内容】
【０１００】
このように構成することによって、例えば、環状部材の上面が、文字板の上面と略同一平面であれば、環状部材と文字板とが一体的に視認されるので、環状部材の美観と高級感が向上し、時計自体の美観も向上することになる。また、例えば、環状部材の下面が、文字板の下面と略同一平面であれば、文字板の下面に凹凸が存在しないので、文字板をソーラーセルなどの駆動機構の上面に配置しやすくなる。
【手続補正２５】
【補正対象書類名】明細書
【補正対象項目名】０１２１
【補正方法】変更
【補正の内容】
【０１２１】
なお、この場合、図２に示したように、装飾用リング３６が、ハウジングを構成する時計ケース１４に対して平面方向に離間して配置されている。
このように構成することによって、装飾用リング３６が時計ケース１４と接触すると、時計ケース１４と装飾用リング３６との間に誘導電流が流れて受信感度が低下するが、装飾用リング３６が時計ケース１４と接触しないので、このような接触による受信感度の低下を防止することができる。
【手続補正２６】
【補正対象書類名】明細書
【補正対象項目名】０１５７
【補正方法】変更
【補正の内容】
【０１５７】
この場合にも、スリット５６の間に、指標窓部６２が配置されているので、観察者の視点が、装飾用リング３６の開放端に留まるので、指標窓部６２を介して、日付表示部などの表示部が極めて視認されやすくなる。
（実施例４）
図９は、本発明の別の実施例の無線機能付き時計１０の文字板２４と文字板２４上に配置した装飾用リング３６を示す部分拡大斜視図で、スリット５６内に絶縁部材６４を装着する状態を説明する部分拡大斜視図、図１０は、図９の無線機能付き時計１０において、スリット５６内に絶縁部材６４を装着した状態を説明する部分拡大斜視図である。
【手続補正２７】
【補正対象書類名】明細書
【補正対象項目名】０１６３
【補正方法】変更
【補正の内容】
【０１６３】
従って、絶縁部材６４の視認面が、装飾用リング３６とが一体的に視認されるので、装飾用リング３６の美観と高級感が向上し、時計自体の美観も向上することになる。
また、装飾用リング３６の上面３６ａから文字板２４に向けて下方に延びる傾斜面３６ｂは、時計の機能表示を示す指標を配置する指標面として機能する。
【手続補正２８】
【補正対象書類名】明細書
【補正対象項目名】０１７３
【補正方法】変更
【補正の内容】
【０１７３】
また、絶縁部材６４の視認面の色調が、装飾用リング３６の視認面の色調と異色色調とすることもできる。
このように、絶縁部材６４の視認面の色調を、装飾用リング３６の視認面の色調と異色色調となるように構成することによって、例えば、この絶縁部材６４の部分を、美観上または何らかの情報として、例えば、時計の携帯者などの観察者に視認し易くすることができる。
【手続補正２９】
【補正対象書類名】明細書
【補正対象項目名】０１７４
【補正方法】変更
【補正の内容】
【０１７４】
この場合、『同色色調』とは、環状部材と絶縁部材との色調とが、共に同じ色調と認識され得る範囲内にあることを意味し、その色調の濃淡や明暗など、色調の外観上の風合いが完全に一致することに限定されない。
【手続補正３０】
【補正対象書類名】明細書
【補正対象項目名】０１８３
【補正方法】変更
【補正の内容】
【０１８３】
この場合、導電性のパーツ部材６５の形状としては、２つのスリット５６、５６で分断されて、装飾用リング３６から切り離されたような形状とするのが好ましい。すなわち、装飾用リング３６に２つの絶縁部材６６、６６を介して、パーツ部材６５を組み合わせた際に、装飾用リング３６と、２つの絶縁部材６６、６６と、パーツ部材６５が、一体の環状の装飾用リング３６として視認されるため、環装飾用リング３６の美観と高級感が向上し、時計自体の美観も向上することになるからである。
【手続補正３１】
【補正対象書類名】明細書
【補正対象項目名】０１８６
【補正方法】変更
【補正の内容】
【０１８６】
また、２つの絶縁部材６６、６６と、パーツ部材６５の視認面の色調が、装飾用リング３６の視認面の色調と異色色調とすることもできる。
このように、２つの絶縁部材６６、６６と、パーツ部材６５の視認面の色調が、装飾用リング３６の視認面の色調と異色色調となるように構成することによって、例えば、この２つの絶縁部材６６、６６と、パーツ部材６５の部分を、美観上または何らかの情報として、例えば、時計の携帯者などの観察者に視認し易くすることができる。
【手続補正３２】
【補正対象書類名】明細書
【補正対象項目名】０１９３
【補正方法】変更
【補正の内容】
【０１９３】
なお、付加部材７０は、不用意に絶縁部材６８の凹部６８ｃから脱落しないように絶縁部材６８に固定されることが好ましい。この固定手段としては、例えば、嵌合、圧入、接合、インサート成型など、機械的な係合手段を採用することができる。絶縁部材６８と付加部材７０とを接合する接合層には、例えば、接着剤、粘着材、または両面テープなどが用いられる。
【手続補正３３】
【補正対象書類名】明細書
【補正対象項目名】０１９４
【補正方法】変更
【補正の内容】
【０１９４】
このように構成することによって、絶縁部材６８に保持された導電性の付加部材７０により、絶縁部材６８に金属外観が付与されることになるので、装飾用リング３６の美観と高級感が向上し、時計自体の美観も向上することになる。
【手続補正３４】
【補正対象書類名】明細書
【補正対象項目名】０１９７
【補正方法】変更
【補正の内容】
【０１９７】
また、付加部材７０の視認面の色調が、装飾用リング３６の視認面の色調と異色色調とすることもできる。
このように、付加部材７０の視認面の色調が、装飾用リング３６の視認面の色調と異色色調となるように構成することによって、例えば、この付加部材７０の部分を、美観上または何らかの情報として、例えば、時計の携帯者などの観察者に視認し易くすることができる。
【手続補正３５】
【補正対象書類名】明細書
【補正対象項目名】０２００
【補正方法】変更
【補正の内容】
【０２００】
さらに、図１５に示したように、付加部材７０は、観る者に美感を起こさせる装飾部材７４であってもよい。
このように構成することによって、絶縁部材６８に、例えば、宝石や貴石などの輝石からなる装飾部材７４を備えることによって、環状部材の美観と高級感が向上し、時計自体の美観も向上することになる。
【手続補正３６】
【補正対象書類名】明細書
【補正対象項目名】０２０２
【補正方法】変更
【補正の内容】
【０２０２】
また、装飾用リング３６と絶縁部材６８と付加部材７０の視認面が、略同一平面を形成するようにすることもできる。
このように構成することによって、装飾用リング３６と絶縁部材６８と付加部材７０とが一体的に視認されるので、環状部材の美観と高級感が向上し、時計自体の美観も向上することになる。
【手続補正３７】
【補正対象書類名】明細書
【補正対象項目名】０２０３
【補正方法】変更
【補正の内容】
【０２０３】
また、図１２に示したように、装飾用リング３６の上面３６ａから文字板２４に向けて下方に延びる傾斜面３６ｂは、時計の機能表示を示す指標を配置する指標面として機能する。
従って、装飾用リング３６と絶縁部材６８と付加部材７０のそれぞれ傾斜面３６ｂ、６８ｂ、７０ｂが略同一平面を形成していれば、装飾用リング３６に平滑な指標面が形成されるので、指標を読み取りやすくなる。さらに、指標面に指標を印刷して形成する場合、平滑な指標面に極めて容易に指標を印刷することができる。
【手続補正３８】
【補正対象書類名】明細書
【補正対象項目名】０２０４
【補正方法】変更
【補正の内容】
【０２０４】
特に、付加部材７０と絶縁部材６８の視認面とが略同一平面を形成するように、絶縁部材６８の凹部内７８ｃに付加部材７０を配置することができ、装飾用リング３６と絶縁部材６８と付加部材７０とが一体的に視認されるので、装飾用リング３６の美観と高級感が向上し、時計自体の美観も向上することになる。
【手続補正３９】
【補正対象書類名】明細書
【補正対象項目名】０２０８
【補正方法】変更
【補正の内容】
【０２０８】
また、付加部材７０と絶縁部材６８の視認面とが略同一平面を形成するように、２つの絶縁部材６８、７８の間に付加部材を配置することができ、装飾用リング３６と絶縁部材６８と付加部材７０とが一体的に視認されるので、装飾用リング３６の美観と高級感が向上し、時計自体の美観も向上することになる。
（実施例８）
図１９は、本発明の別の実施例の無線機能付き時計１０の図７と同様な部分拡大斜視図で、スリット５６内に絶縁部材６８、付加部材７０を装着する状態を説明する部分拡大斜視図、図２０は、図１９の無線機能付き時計１０において、スリット５６内に絶縁部材６８、付加部材７０を装着した状態を説明する部分拡大斜視図である。
【手続補正４０】
【補正対象書類名】明細書
【補正対象項目名】０２１１
【補正方法】変更
【補正の内容】
【０２１１】
このように構成することによって、装飾用リング３６と絶縁部材６８との境界８０が、付加部材７０の覆い部７０ｃで隠されて視認されなくなるので、装飾用リング３６の美観と高級感がさらに向上する。
【手続補正４１】
【補正対象書類名】明細書
【補正対象項目名】０２１３
【補正方法】変更
【補正の内容】
【０２１３】
このように構成することによって、係合凸部７０ｄと係合孔部６８ｄとの係合によって、付加部材を絶縁部材にさらに確実に固定することができる。
なお、この場合、絶縁部材６８と付加部材７０のいずれか一方に突設された係合凸部と、他方に形成された係合孔部とを係合することによって、付加部材７０を絶縁部材６８に取り付ければよく、付加部材に８０に係合孔部を設け、絶縁部材６８に係合凸部を設けることも可能である。
【手続補正４２】
【補正対象書類名】明細書
【補正対象項目名】０２２８
【補正方法】変更
【補正の内容】
【０２２８】
また、この実施例では、内周側文字板９０の上面と、内周側環状部材９２の上面と、外周側文字板８８の上面とが、略同一平面を形成している。このように構成することによって、内周側環状部材９２の上面が、文字板２４の上面と略同一平面であれば、内周側環状部材９２と文字板２４とが一体的に視認されるので、内周側環状部材９２の美観と高級感が向上し、時計自体の美観も向上することになる。
【手続補正４３】
【補正対象書類名】明細書
【補正対象項目名】０２３０
【補正方法】変更
【補正の内容】
【０２３０】
なお、図示しないが、内周側環状部材９２の下面を文字板２４の下面から突出させて、例えば、この下方に突出する内周側環状部材９２を係合凸部として、ソーラーセルなどの駆動機構に設けた係合凹部と係合させることができ、組み込みが容易となる。
【手続補正４４】
【補正対象書類名】明細書
【補正対象項目名】０２３５
【補正方法】変更
【補正の内容】
【０２３５】
以上、本発明の好ましい実施の態様を説明してきたが、本発明はこれに限定されることはなく、例えば、上記実施例では、環状部材として、装飾用リング３６、計測リング８２について説明したが、文字板に配置された導電性の環状部材であれば、これにスリットが設けられれば、環状部材の渦電流に起因するアンテナの受信感度の低下が回避されるので、装飾用リング３６、計測リング８２に限定されるものではない。
【手続補正４５】
【補正対象書類名】図面
【補正対象項目名】図２
【補正方法】変更
【補正の内容】
【図２】
2008032565.tif 000001
【手続補正４６】
【補正対象書類名】図面
【補正対象項目名】図１２
【補正方法】変更
【補正の内容】
【図１２】
2008032565.tif 000002
【手続補正４７】
【補正対象書類名】図面
【補正対象項目名】図１４
【補正方法】変更
【補正の内容】
【図１４】
2008032565.tif 000003
【手続補正４８】
【補正対象書類名】図面
【補正対象項目名】図１９
【補正方法】変更
【補正の内容】
【図１９】
2008032565.tif 000004
【手続補正４９】
【補正対象書類名】図面
【補正対象項目名】図２０
【補正方法】変更
【補正の内容】
【図２０】
2008032565.tif 000005